(57)【要約】【目的】  施工性に優れ、強度面でも従来のものに勝る柱の固定構造を実現することを目的とする。【構成】  アンカーボルト４の先端に雄ねじを刻み、この雄ねじに少なくとも両端に雌ねじが刻まれている長ナット５の一端を螺合して取付け、さらに長ナット５の他端に軸ボルト６に設けられた雄ねじを螺合して挿入し、これによって軸ボルト６を長ナット５を介してアンカーボルト４に接合し、軸ボルト６を柱３に締結する。これによってアンカーボルト４と軸ボルト６とで基礎１と土台２と柱３とを一体化させて、土台２と柱３を固定する。【選択図】  図１
2006193996.tif 000002
【特許請求の範囲】
【請求項１】
金具接合法を用いて引抜き力を負担する柱の固定構造において、
アンカーボルトに柱固定用ボルトを接合し、この接合したボルトにより基礎と土台と柱とを一体化させて、前記土台の固定と前記柱の固定とを行うことを特徴とする柱の固定構造。
【請求項２】
前記アンカーボルトと前記柱固定ボルトとは、長ナットによって接合されることを特徴とする請求項1に記載の柱の固定構造。
【発明の詳細な説明】
【技術分野】
【０００１】
本発明は、建築物の柱を基礎に固定するための固定構造に関し、特に木造建築物において柱の脚部を基礎に固定するための固定構造に関する。
【背景技術】
【０００２】
木造の柱をコンクリートの基礎上に安定に固定する方法として、従来から基礎にアンカーボルトを埋め込み、このアンカーボルトで柱を支持する方法が採られていた。
図３に、従来の柱の固定構造の一例を示す。木造の土台２２はコンクリート基礎２１上に固定されており、この土台２２のホゾ穴に柱２３のホゾ凸部２９が挿入されて立設されている。アンカーボルト２４はコンクリート基礎２１にその一端が埋設されていて、土台２２に設けられた貫通孔２６を通して柱２３の近傍に立ち上がっている。そうして、このアンカーボルト２４を取り付けられた接続用金具２５を介して柱２３にビス止めすることで、柱２３とアンカーボルト２４を締結する。
これにより、柱２３を含む耐力壁部分に係る引抜き力が、基礎２１に直接伝達され、基礎２１と柱２３との締結が強固になる。
【０００３】
さらに、金具接合法の場合、図４に示すように、柱２３の内部に縦穴を設け、その内部にホゾパイプ２７又は支持シャフトを立てて、このホゾパイプ２７又は支持シャフトを貫通するドリフトピン２８を柱２３及び土台２２にそれぞれ打って固定する。
このような方法で、柱２３の縦方向に発生する引抜き力に抗して柱２３がホゾ穴から抜けるのを防ぐことができ、地震や暴風などに対して安全な木造建築を構築することができる。
【０００４】
しかしながら、このような従来の方法によると、柱２３にそって立ち上がっているアンカーボルト２４の長さが長いほど、ボルトの弾性力を用いて柔構造の安定した支持ができ、かつ施工誤差を吸収することができるため、どうしてもアンカーボルト２４が長くなり、その長いアンカーボルト２４を土台２２にあけた貫通穴２６に通さねばならないことで、施工性が悪いという問題があった。
【０００５】
このような問題を解決するため、例えば、上部構造体（建物ユニット）に固定したホールダウン金物に連結した上ボルトと、下部構造体（基礎）に連結した下ボルトとをターンバックルで接合するようにした発明（特許文献１参照。）や、柱に固定したホールダウン金物と土台を基礎上に固定するアンカーボルトに上端とを接続部材（ワイヤーロープ）で接続した発明（特許文献２又は特許文献３参照。）などが報告されている。
【０００６】
しかしながら、前者は、基礎上の土台部分にターンバックルを回転するための横穴が必要であり、木造建築の土台にはそのまま適用することが難しいし、土台の転び止めを別途設ける必要があるという問題がある。また、後者は、ワイヤーロープによる接続であるため、柱と土台の間にがたが生じやすく、このがたぶんだけ地震などの場合に上下に振動を生じ易いという問題があった。
また、アンカーボルトが土台に固定されていないと、柱に引抜き力が加わった場合、土台が割裂して柱の固定が解除されるという虞があった。それを補うために、基礎に特殊な接合金具を取り付け、その金具に土台と柱をそれぞれ別に固定する方法も採られているが、施工が煩雑になるという問題があった。
【特許文献１】特開２００３−３２８４３５号公報
【特許文献２】特開２００１−２７９８３０号公報
【特許文献３】特開平１０−１４７９８１号公報
【発明の開示】
【発明が解決しようとする課題】
【０００７】
上述のように、従来の柱の固定方法は施工性の面や強度上の面で問題があった。本発明は、比較的簡単な方法でこの問題を解決して、施工性に優れ、土台の割裂を防ぐことができ、強度面でも従来のものに勝る柱の固定構造を実現することを課題とする。
【課題を解決するための手段】
【０００８】
上記課題を解決するため、本発明の請求項1に記載の柱の固定構造は、金具接合法を用いて引抜き力を負担する柱の固定構造において、アンカーボルトに柱固定用ボルトを接合し、この接合したボルトにより基礎と土台と柱とを一体化させて、前記土台の固定と前記柱の固定とを行うことを特徴とする。
【０００９】
上記課題を解決するため、本発明の請求項２に記載の柱の固定構造は、請求項1に記載の柱の固定構造において、前記アンカーボルトと前記柱固定ボルトとは、長ナットによって接合されることを特徴とする。
【発明の効果】
【００１０】
本発明は、このように構成したため、基礎と柱とを締結するボルト部分を切り分けることができ、これによって、施工性を向上することができる。さらに柱にかかる引抜き力を直接基礎に伝えることができので、強度面でも優れている。また、この固定構造が基礎上を土台がずれて移動することを防ぐ転び止めの機能を兼ね備えるので、引抜き力による土台の割裂を防ぐことができ、強度面、施工面での無駄を少なくできるという効果も有している。
【発明を実施するための最良の形態】
【００１１】
以下、本発明を図面にそって詳細に説明する。
【００１２】
図１は、本発明の柱の固定構造の一実施の形態を示す要部断面図である。図１において、符号１は基礎、符号２は土台、符号３は柱、符号４はアンカーボルト、符号５は長ナット、符号６は軸ボルト、符号７は接続用金具、符号８は貫通穴、符号９は座金、符号１０はワッシャ、符号１１はナット、符号１２はホゾパイプあるいは支持シャフト、符号１３はドリフトピン、符号１４は柱側ホゾパイプ装着穴、符号１５は土台側ホゾパイプ装着穴、符号１６はドリフトピン装着穴、符号１７はホゾパイプ固定ピンである。
【００１３】
柱３を立てる際には、土台２の土台側ホゾパイプ装着穴１５に固定されたホゾパイプあるいは支持シャフト１２に柱３に設けられた柱側ホゾパイプ装着穴１４を被せるようにし、柱３を立設する。その後、柱３に設けられたドリフトピン装着穴１６にドリフトピン１３を打ってホゾパイプ（支持シャフト）１２に設けられた貫通孔を通すようにして柱３とホゾパイプ（支持シャフト）１２とを固定させる。
【００１４】
一方、基礎１にその一端を埋設してアンカーボルト４を立てておく。アンカーボルト４の上端部には長ナット５を螺合させるための雄ねじが刻設されている。このアンカーボルト４に土台２の厚みよりもやや短い長さの長ナット５をねじ入れて、土台２の貫通穴８に通しておく。この長ナット５には少なくとも両端に雌ねじが切られている。
【００１５】
柱３を立設したのち、この長ナット５に下端に雄ねじが切られた軸ボルト６をねじ込んで、軸ボルト６を柱３の側に添えて立ち上がらせる。この際に、軸ボルト６の雄ねじ部分にナット１１を仮留めしておき、さらに、ワッシャ１０と座金９の組付け穴を予め軸ボルト６に通しておく。この状態で、軸ボルト６の上部を接続用金具７を介して柱３に固定する。
【００１６】
接続用金具７は、例えば、図２に示すホールダウン金物のような金具である。このホールダウン金物は柱３に固定する固定面３２と、この固定面３２に対して垂直な台座面３３とを有し、固定面３２をボルト３４で柱３に固定し、台座面３３に設けられた貫通孔に軸ボルト６の上端ボルト部６ａを通してナット３１で締めることで、軸ボルト６と柱３を固着することができる。
【００１７】
最終的には、柱３を中心に耐力壁の面材が張られた状態で、長ナット５とナット１１を締め直し、ワッシャ１０と座金９とを介してナット１１で土台２を基礎１に固定するように締め付け、最後にナット３１を締めて本締めする。
このようにすることで、軸ボルト６は長ナット５を介してアンカーボルト４に直結される。そうして軸ボルト６は接続用金具７で柱３に固定され、アンカーボルト４は基礎1に埋めこめられているので、これによって柱３と基礎１とが緊結されることになる。
【００１８】
ところで、長ナット５の長さは土台の厚みよりも短く、ナット１１を締めることで座金９によって土台２は基礎１に押し付けられる。したがってこの構造によって、基礎１と土台２と柱３とを一体化することができ、柱３を基礎１に結合すると共に、土台２を基礎１に締め付け、基礎１上で土台２が移動することを防止する転び止めの役割も果たす。したがって、引抜き力が加わっても土台２が割裂することガなく、従来の約２倍に近い高強度の固定が可能になる。
【００１９】
以上の説明では、接続用金具７を図２に示すようなホールダウン金物として説明したが、軸ボルト６と柱３を安定に固着することができる金具であれば、他の構成の金具であっても差し支えない。
【産業上の利用可能性】
【００２０】
以上に述べたように、本発明の柱の固定構造によると、比較的簡単な構成と容易な施工性で、柱を引抜き力に抗するように強い強度で基礎に固定することができるので、木造建築の耐震性、耐暴風性を高めることができ、建築の分野で広い利用の可能性が生まれる。
【図面の簡単な説明】
【００２１】
【図１】本発明の柱の固定構造の一実施の形態を示す要部断面図である。
【図２】接続用金具の一例を示す斜視図である。
【図３】従来の柱の固定構造の一例を示す説明図である。
【図４】従来の柱の固定構造の他の例を示す説明図である。
【符号の説明】
【００２２】
１    基礎
２    土台
３    柱
４    アンカーボルト
５    長ナット
６    軸ボルト
６ａ  上端ボルト部
７    接続用金具
８    貫通穴
９    座金
１０  ワッシャ
１１  ナット
１２  ホゾパイプあるいは支持シャフト
１３  ドリフトピン
１４  柱側ホゾパイプ装着穴
１５  土台側ホゾパイプ装着穴
１６  ドリフトピン装着穴
１７  ホゾパイプ（支持シャフト）固定ピン
２１  基礎
２２  土台
２３  柱
２４  アンカーボルト
２５  接続用金具
２６  貫通穴
２７  ホゾパイプ
２８  ドリフトピン
２９  ホゾ凸部
３１  ナット
３２  固定面
３３  台座面
３４  ボルト
【図１】
2006193996.tif 000003
【図２】
2006193996.tif 000004
【図３】
2006193996.tif 000005
【図４】
2006193996.tif 000006